(57)【要約】【課題】扉と扉枠との間に手指などが挟まれたときに、扉を傾動させることなく、この手指などをそれ以上挟み付けないようにする。【解決手段】扉枠Ｆに取り付けられる第一ヒンジ要素１と、第一ヒンジ要素１に対して回動可能に組み合わされる第二ヒンジ要素２と、第二ヒンジ要素２に対してスライド移動可能に組み合わされると共に扉Ｄに取り付けられる第三ヒンジ要素３と、前記スライド移動をさせないようにする保持手段５とを備える。保持手段５の保持力が、扉Ｄを閉める過程で扉Ｄの回動組み付け側の端面Ｄａと扉枠Ｆとの間に手指Ｚなどが挟まった場合において所定の大きさ以上の閉じ方向の力が扉Ｄに作用されているときに、前記スライド移動を許容する大きさにしてある。【選択図】図４
2008133593.tif 000002
【特許請求の範囲】
【請求項１】
扉及び扉枠のいずれか一方に取り付けられる第一ヒンジ要素と、
この第一ヒンジ要素に対して回動可能に組み合わされる第二ヒンジ要素と、
第二ヒンジ要素に対してスライド移動可能に組み合わされると共に、扉及び扉枠の他方に取り付けられる第三ヒンジ要素と、
前記スライド移動をさせないようにする保持手段とを備えており、
この保持手段の保持力が、扉を閉める過程で扉の回動組み付け側の端面と扉枠との間に手指などが挟まった場合において所定の大きさ以上の閉じ方向の力が扉に作用されているときに、前記スライド移動を許容する大きさにしてあることを特徴とするヒンジ装置。
【請求項２】
第二ヒンジ要素に棒状体が備えられていると共に、第三ヒンジ要素にこの棒状体を通す貫通孔が備えられていることを特徴とする請求項１記載のヒンジ装置。
【請求項３】
第三ヒンジ要素における第二ヒンジ要素に向き合わない側において貫通孔に筒内を連通させるように配される筒体を備えており、第三ヒンジ要素のスライド移動が棒状体の先端に設けられた規制部にこの筒体の先端が突き当たる位置で規制されるようになっていることを特徴とする請求項２記載のヒンジ装置。
【請求項４】
保持手段を、第二ヒンジ要素及び第三ヒンジ要素のいずれか一方に備えられる磁石を備えた吸着部と、これらの他方に備えられてこの磁石によって吸着部に吸着される被吸着部とから構成していることを特徴とする請求項１〜請求項３のいずれか１項に記載のヒンジ装置。
【請求項５】
請求項１から請求項４のいずれか１項に記載のヒンジ装置を介して扉枠に扉を回動可能に組み合わせてなることを特徴とする扉機構。
【発明の詳細な説明】
【技術分野】
【０００１】
この発明は、各種の扉を扉枠に対して回動可能に組み合わせるために用いられるヒンジ装置、およびかかるヒンジ装置と扉と扉枠とを含んで構成される扉機構に関する。
【背景技術】
【０００２】
扉と扉枠との間に手指が挟まれたときに、扉を傾動させて扉と扉枠との間に下に向かうに連れて広くなる隙間を形成させるようにした扉装置がある。これは、ピンを中心に回動可能に組み付け合わされる枠側取付片と扉側取付片のうち、枠側取付片に扉枠に対する複数の取付孔を多段に設けると共に、最上段の取付孔以外を横方向に長い長孔とし、最上段の取付孔に通されて扉枠に止着されたねじ金具を中心に手指が挟まったとき扉を傾動させるようにしたものである。（特許文献１参照）
【０００３】
しかるに、かかる扉装置にあっては、扉の傾動を許容させるために、扉枠の内周上部に中空シール部材で塞がれた隙間を形成する必要を生じさせるものであった。また、手指が挟まれたときに扉の傾動により形成される隙間は下に向かうに連れて広くなる隙間であるため、こうした隙間を作っても挟まれた手指に扉の荷重を上方から作用させてしまうものであった。
【特許文献１】特開２００６−２４０３号公報
【発明の開示】
【発明が解決しようとする課題】
【０００４】
この発明が解決しようとする主たる問題点は、扉の回動組み付け側の端面と扉枠との間に手指などが挟まれたときに、扉を傾動させることなく、この手指などをそれ以上挟み付けないようにする点にある。
【課題を解決するための手段】
【０００５】
前記目的を達成するために、この発明にあっては、ヒンジ装置を、以下の（１）〜（５）の構成を備えたものとした。
（１）扉及び扉枠のいずれか一方に取り付けられる第一ヒンジ要素と、
（２）この第一ヒンジ要素に対して回動可能に組み合わされる第二ヒンジ要素と、
（３）第二ヒンジ要素に対してスライド移動可能に組み合わされると共に、扉及び扉枠の他方に取り付けられる第三ヒンジ要素と、
（４）前記スライド移動をさせないようにする保持手段とを備えており、
（５）この保持手段の保持力が、扉を閉める過程で扉の回動組み付け側の端面と扉枠との間に手指などが挟まった場合において所定の大きさ以上の閉じ方向の力が扉に作用されているときに、前記スライド移動を許容する大きさにしてある。
【０００６】
通常は、保持手段によって第二ヒンジ要素と第三ヒンジ要素とは一体化されていることから、扉は軸を中心に回動される。開いた扉を閉める過程で扉の回動組み付け側の端面と扉枠との間に手指などが挟まった場合において扉に前記所定の大きさ以上の閉じ方向の力が作用されていると、保持手段による第二ヒンジ要素と第三ヒンジ要素との保持が解かれ第三ヒンジ要素が第二ヒンジ要素からスライド移動して離れ出すことから、第二ヒンジ要素と第一ヒンジ要素との間の間隔をそれ以上狭めさせずに、扉の回動組み付け側の端面を扉枠の内面から離れさせることができ、これによって挟まれた手指などがそれ以上圧迫されないようにすることができる。
【０００７】
第二ヒンジ要素に棒状体を備えさせ、第三ヒンジ要素にこの棒状体を通す貫通孔を備えさせるようにすれば、保持手段の保持が解けたときは第三ヒンジ要素を棒状体をガイドにしてこの棒状体の長さ方向に沿ってスライド移動させ、扉も同じ向きに移動させることができる。
【０００８】
第三ヒンジ要素における第二ヒンジ要素に向き合わない側において貫通孔に筒内を連通させるように配される筒体を備えており、第三ヒンジ要素のスライド移動が棒状体の先端に設けられた規制部にこの筒体の先端が突き当たる位置で規制されるようにしておけば、指などの前記挟まりが解消した後は第三ヒンジ要素と第二ヒンジ要素とが保持手段によって一体化された通常状態に簡単に復帰させることができる。
【０００９】
保持手段を、第二ヒンジ要素及び第三ヒンジ要素のいずれか一方に備えられる磁石を備えた吸着部と、これらの他方に備えられてこの磁石によって吸着部に吸着される被吸着部とから構成しておけば、通常は磁石の磁力による吸着部の被吸着部への吸着により第二ヒンジ要素と第三ヒンジ要素とを一体化させておくことができる。また、開いた扉を閉める過程で扉の回動組み付け側の端面と扉枠との間に手指などが挟まった場合において扉に前記所定の大きさ以上の閉じ方向の力が作用されているときには、前記吸着が解けて、第三ヒンジ要素が第二ヒンジ要素からスライド移動して離れ出されるようにすることができる。手指などの挟まりが解消された場合には被吸着部に吸着部を再び吸着させることで簡単に通常状態へ復帰させることができる。
【００１０】
これらのヒンジ装置を介して扉枠に扉を回動可能に組み合わせてなる扉機構にあっては、通常は前記第一ヒンジ構成体と第二ヒンジ構成体とを組み合わせる軸を中心に扉の開閉動作が規則的に行われると共に、開いた扉を閉め切る過程で前記一方端面と扉枠の内面との間に手指などが挟まったときにはこの手指などをそれ以上圧迫しないように扉の回動をそのスライド移動に切り替えることができる。
【発明の効果】
【００１１】
この発明にかかるヒンジ装置にあっては、扉の回動組み付け側の端面と扉枠との間に手指などが挟まれたときに、扉を傾動させることなく扉の回動を扉枠の内面からその一方端面を離れ出させる向きの移動に切り替えてこの手指などをそれ以上圧迫しないようにすることができる。
【発明を実施するための最良の形態】
【００１２】
以下、図１〜図６に基づいて、この発明を実施するための最良の形態について説明する。
【００１３】
なお、ここで図１〜図６は、この発明を実施するための最良の形態の一つにかかるヒンジ装置Ｈおよび扉機構を示したものであり、図１はかかるヒンジ装置Ｈを構成する各部品を分離させた状態で、図２は通常時の扉Ｄを閉め切った状態を平面視の状態として、図３は通常時の扉Ｄを開いた状態を平面視の状態として、図４は扉Ｄを閉じる過程で手指Ｚなどが挟まったときの状態を平面視の状態として、図５は通常時のヒンジ装置Ｈの要部を断面にして正面から見た状態として、図６は手指Ｚなどが挟まったときのヒンジ装置Ｈの要部を断面にして正面から見た状態として、それぞれ示している。
【００１４】
この実施の形態にかかるヒンジ装置Ｈは、各種の扉Ｄを扉枠Ｆに対して回動可能に組み合わせるために用いられるものである。また、この実施の形態にかかる扉機構は、かかるヒンジ装置Ｈと扉Ｄと扉枠Ｆとを含んで構成されるものである。
【００１５】
かかるヒンジ装置Ｈは、
（１）第一ヒンジ要素１
（２）第二ヒンジ要素２
（３）第三ヒンジ要素３
（４）第一ヒンジ要素１と第二ヒンジ要素２とを回動可能に組み合わせる軸４
（５）保持手段５
を含んで構成される。
【００１６】
かかるヒンジ装置Ｈは、典型的には、扉Ｄの上下方向に亘る一方端面Ｄａと、扉枠Ｆの上下方向に亘る扉Ｄによって塞がれる開口Ｆａの内方に向けられた内面Ｆｂとの間に介在して、この扉枠Ｆに扉Ｄを回動可能に組み付ける。扉Ｄを閉め切ると扉Ｄの一方端面Ｄａは扉枠Ｆの内面Ｆｂにわずかな隙間を開けて向き合う。かかるヒンジ装置Ｈは、通常は後述する軸４を中心に扉Ｄの開閉動作を規則的に行わしめると共に、開いた扉Ｄを閉め切る過程で前記一方端面Ｄａと扉枠Ｆの内面Ｆｂとの間に手指Ｚなどが挟まったときにはこの手指Ｚなどを強く圧迫しないように扉Ｄの回動を扉枠Ｆの内面Ｆｂからその一方端面Ｄａを離れ出させる向きの移動に切り替えるものである。
【００１７】
かかるヒンジ装置Ｈは、扉Ｄの大きさなどに応じて、扉枠Ｆとの間に一箇所から数カ所備えられて、この扉Ｄと扉枠Ｆと一緒に扉機構を構成させる。このように構成される扉機構にあっては、通常は後述する軸４を中心に扉Ｄの開閉動作が規則的に行われると共に、開いた扉Ｄを閉め切る過程で前記一方端面Ｄａと扉枠Ｆの内面Ｆｂとの間に手指Ｚなどが挟まったときにはこの手指Ｚなどをそれ以上圧迫しないように扉Ｄの回動は扉枠Ｆの内面Ｆｂからその一方端面Ｄａを離れ出させる向きの移動に切り替えられる。
【００１８】
第一ヒンジ要素１は、扉Ｄ及び扉枠Ｆのいずれか一方に取り付けられるものである。図示の例では、かかる第一ヒンジ要素１は扉枠Ｆの前記内面Ｆｂにネジ止めにより取り付けられるようになっている。
【００１９】
第二ヒンジ要素２は、かかる第一ヒンジ要素１に対して軸４により回動可能に組み合わされるものである。図示の例では、軸４は鉛直方向に沿った軸となっている。ヒンジ装置Ｈは、この軸４を扉の回動組み付け側において扉Ｄの一面から前方に突き出すようにして、この扉Ｄと扉枠Ｆとの間に位置づけられる。
【００２０】
第三ヒンジ要素３は、第二ヒンジ要素２に対して、スライド移動可能に組み合わされると共に、扉Ｄ及び扉枠Ｆの他方に取り付けられるものである。図示の例では、かかる第三ヒンジ要素３は扉Ｄの前記一方端面Ｄａにネジ止めにより取り付けられるようになっている。（そのためのねじ穴を符号３２で示す。）第三ヒンジ要素３と第二ヒンジ要素２とは後述する保持手段５によって通常はその他面２”、３”同士を重ね合わせ状にして一体化されることから、第二ヒンジ要素２には第三ヒンジ要素３を扉Ｄの回動組み付け側の端面Ｄａにネジ止めするときのネジの通し穴２３が形成されている。開いた扉Ｄを閉め切る過程で前記一方端面Ｄａと扉枠Ｆの内面Ｆｂとの間に手指Ｚなどが挟まったときに扉Ｄに所定の閉じ方向の力が作用されている場合、この保持手段５の保持が解かれて第三ヒンジ要素３は扉Ｄと一緒に第二ヒンジ要素２から全体として離れる向きにスライド移動される。
【００２１】
保持手段５は、第二ヒンジ要素２からの第三ヒンジ要素３のスライド移動を通常はさせないようにする両者を保持するものである。すなわち、かかる保持手段５は、一定の保持力をもって、通常は第二ヒンジ要素２と第三ヒンジ要素３とを一体となった状態におき、扉Ｄの回動が軸４を中心として規則的に行われるように保つものである。
【００２２】
そして、この保持手段５の保持力は、扉Ｄを閉める過程で扉Ｄの回動組み付け側の端面Ｄａ（具体的には前記一方端面Ｄａ）と扉枠Ｆ（具体的には前記内面Ｆｂ）との間に手指Ｚなどが挟まった場合において所定の大きさ以上の閉じ方向の力が扉Ｄに作用されているときに、第二ヒンジ要素２からの第三ヒンジ要素３のスライド移動を許容する大きさになっている。
【００２３】
通常は、保持手段５によって第二ヒンジ要素２と第三ヒンジ要素３とは一体化されていることから、扉Ｄは軸４を中心に回動される。（図２から図３）開いた扉Ｄを閉める過程で扉Ｄの回動組み付け側の端面Ｄａと扉枠Ｆとの間に手指Ｚなどが挟まった場合において扉Ｄに前記所定の大きさ以上の閉じ方向の力が作用されていると、保持手段５による第二ヒンジ要素２と第三ヒンジ要素３との保持が解かれ第三ヒンジ要素３が第二ヒンジ要素２からスライド移動して離れ出すことから、第二ヒンジ要素２と第一ヒンジ要素１との間の間隔をそれ以上狭めさせずに、扉Ｄの回動組み付け側の端面Ｄａを扉枠Ｆの内面Ｆｂから離れさせることができ、これによって挟まれた手指Ｚなどがそれ以上圧迫されないようにすることができる。（図４、図６）
【００２４】
図示の例では、かかる保持手段５を、第三ヒンジ要素３に備えられる板状磁石５０ａを備えた吸着部５０と、これらの他方に備えられてこの磁石５０ａによって吸着部５０に吸着される被吸着部５１とから構成させている。
【００２５】
これによりこの例では、通常は磁石５０ａの磁力による吸着部５０の被吸着部５１への吸着により第二ヒンジ要素２と第三ヒンジ要素３とを一体化させておくことができる。また、開いた扉Ｄを閉める過程で扉Ｄの回動組み付け側の端面Ｄａと扉枠Ｆとの間に手指Ｚなどが挟まった場合において扉Ｄに前記所定の大きさ以上の閉じ方向の力が作用されているときには、前記吸着が解けて第三ヒンジ要素３が第二ヒンジ要素２からスライド移動して離れ出されるようにすることができる。手指Ｚなどの挟まりが解消された場合には被吸着部５１に吸着部５０を再び吸着させることで簡単に通常状態へ復帰させることができる。
【００２６】
この例では、第一ヒンジ要素１は、扉枠Ｆの内面Ｆｂに一面を接しさせるようにしてこの内面Ｆｂに取り付けられるプレート部１０と、このプレート部１０における上下方向に亘る一辺部に筒軸を上下方向に配するように一体に設けられたパイプ部１１とを備えている。パイプ部１１はプレート部１０の下端から上下方向略中程の位置までに亘って形成されている。プレート部１０には扉枠Ｆに止着されるネジの通し穴１２が形成されている。パイプ部１１には軸４が通されている。この例では、パイプ部１１は内径の大きい上部１１ａと内径の小さい下部１１ｂとよりなり、この上部１１ａと下部１１ｂとの間には上方を向いた段差面１１ｃが形成されている。軸４の中間にはフランジ４０が形成されており、軸４はこのフランジ４０を段差面１１ｃに上方から引っ掛けるようにしてパイプ部１１に入れ込み支持されるようになっている。
【００２７】
また、第二ヒンジ要素２は、上下方向に長い略長方形状のプレート部２０と、このプレート部２０の上下方向に沿った一辺部の上部側においてこのプレート部２０に連続する突片を上下方向に筒軸を沿わせる筒状に成形して構成させたパイプ部２１とを備えている。第二ヒンジ要素２のパイプ部２１に前記のように第一ヒンジ要素１に支持された軸４の上部が下方から入れ込まれる。パイプ部２１の下部は第一ヒンジ要素１のパイプ部１１の上部１１ａの内側に入り込み、パイプ部２１の連接基部２１ａはこのパイプ部１１の割欠き１１ｄに納まる。
【００２８】
第二ヒンジ要素２のプレート部２０には貫通孔２２が備えられており、頭部６１を備えた丸棒状をなす棒状体６としてのシャフト６０がプレート部２０の一面２’側から頭部６１が引っかかる位置までこの貫通孔２２に通され頭部６１をこのプレート部２０に溶着などして固定することでこのプレート部２０に一体に備えられている。すなわち、第二ヒンジ要素２は、プレート部２０の他面２”側からこの他面２”に略直交する向きに突き出す棒状体６を備えている。
【００２９】
シャフト６０の先端（プレート部２０からの突き出し先端）には、シャフト６０の軸線に直交する向きに延びシャフト６０の直径方向両側においてそれぞれ開放されたねじ穴６２が形成されていると共に、このねじ穴６２に規制部６３となるねじ６３ａがそのねじ両端をそれぞれこのねじ穴６２から突き出すようにしてネジ付けられている。
【００３０】
また、第三ヒンジ要素３は、上下方向に長い略長方形状のプレート部３０を有しており、このプレート部３０の長さ方向略中程の位置には丸穴状をなす貫通孔３１が形成されている。図示の例では、ヒンジ装置Ｈは、扉Ｄの回動組み付け側に、この扉Ｄの端面Ｄａにおいて開放されて扉Ｄの左右方向に延びる取り付け穴Ｄｂに入れ込まれる筒体７を備えており、この取り付け穴Ｄｂに入れ込まれた筒体７の筒一端が第三ヒンジ要素３のプレート部３０の一面３’側において前記貫通孔３１に連通するようになっている。この例では、この筒体７の筒一端には外鍔７０が形成されており、第三ヒンジ要素３のプレート部３０の一面３’にはこの外鍔７０が突き当てられるようになっている。
【００３１】
図示の例では、かかるプレート部３０の四辺にはそれぞれこのプレート部３０の他面３”側において立ち上がり部３０ａが形成されていると共に、このプレート部３０の他面３”側には、貫通孔３１を挟んだ上下にそれぞれ吸着部５０が形成されている。吸着部５０は中心に貫通孔５０ａ’を備えた板状磁石５０ａと、この板状磁石５０ａの磁極面の一方への添装板部５０ｃとこの添装板部５０ｃの左右縁部からこの板状磁石５０ａの磁極面の他方側に向けて一体に立ち上がる立ち上がり板部５０ｄとを備えたヨーク５０ｂとから構成されている。図示の例ではヨーク５０ｂに板状磁石５０ａの貫通孔５０ａ’に連通する連通孔５０ｅが形成されており、板状磁石５０ａの貫通孔５０ａ’とこの連通孔５０ｅに通したネジ５０ｆをヨーク５０ｂの側を先にしてプレート部３０のネジ穴３３にネジ止めすることで、この吸着部５０がプレート部３０に備え付けられている。この吸着部５０のヨーク５０ｂの立ち上がり板部５０ｄの突き出し端は、板状磁石５０ａの磁極面の他方よりもやや前方に位置され、かつ、第三ヒンジ要素３のプレート部３０の立ち上がり部３０ａの先端よりもやや前方に位置されている。この吸着部５０のヨーク５０ｂの立ち上がり板部５０ｄは通常状態においては第二ヒンジ要素２の他面２’に接しこれに吸着される。すなわち、この例では第二ヒンジ要素２におけるかかる吸着を蒙る箇所が被吸着部５１として機能するようになっている。
【００３２】
この例では、通常は保持手段５によって、第二ヒンジ要素２と第三ヒンジ要素３とはその他面２”、３”同士を近接させた状態で重ね合わせ状に一体化されている。（図２）
【００３３】
扉Ｄの回動組み付け側の端面Ｄａと扉枠Ｆの内面Ｆｂとの間に指Ｚなどが挟まった場合に扉Ｄに所定の大きさ以上の閉じ方向の力が作用されていると、保持手段５の保持が解け第三ヒンジ要素３は棒状体６をガイドにしてこの棒状体６の長さ方向に沿ってスライド移動され、扉Ｄも同じ向きに移動される。（図４）
【００３４】
この例では、第三ヒンジ要素３と第二ヒンジ要素２とは、第三ヒンジ要素３の貫通孔３１に通した棒状体６を前記筒体７にさらに通しその上でこの棒状体６の先端に規制部６３を設けることで組み合わされている。通常時には第三ヒンジ要素３の筒体７の先端と第二ヒンジ要素２の棒状体６の先端に設けられた規制部６３との間に間隔ｓが開けられており、（図２）前記スライド移動はこの規制部６３に筒体７の先端が突き当たる位置で止まる。これにより、指Ｚなどの前記挟まりが解消した後は第三ヒンジ要素３と第二ヒンジ要素２とが保持手段５によって一体化された通常状態に簡単に復帰させることができる。
【００３５】
第一ヒンジ要素１、第二ヒンジ要素２、および第三ヒンジ要素３の主要部は典型的には金属などの剛性の高い材料により構成する。
【図面の簡単な説明】
【００３６】
【図１】ヒンジ装置Ｈの分解斜視構成図
【図２】同使用状態を示す平面構成図
【図３】同使用状態を示す平面構成図
【図４】同手指Ｚなどが挟まったときの状態を示す平面構成図
【図５】同要部断面構成図
【図６】同要部断面構成図（図４の状態）
【符号の説明】
【００３７】
Ｈ  ヒンジ装置
Ｄ  扉
Ｄａ  端面
Ｆ  扉枠
Ｚ  手指
１  第一ヒンジ要素
２  第二ヒンジ要素
３  第三ヒンジ要素
４  軸
５  保持手段
【図１】
2008133593.tif 000003
【図２】
2008133593.tif 000004
【図３】
2008133593.tif 000005
【図４】
2008133593.tif 000006
【図５】
2008133593.tif 000007
【図６】
2008133593.tif 000008